(57)【特許請求の範囲】
【請求項１】
弦を支持する駒の脚部に雌ねじ部を有する穴を形成し、前記駒の高さを調整する高さ調整部材を脚とこの脚に設けられたねじ棒とで構成し、前記高さ調整部材を楽器本体の表面に形成した凹部内に配置し、前記ねじ棒を前記雌ねじ部に螺合し、前記脚を回転させることにより前記駒の高さを調節するようにしたことを特徴とする弦楽器。
【発明の詳細な説明】
【０００１】
【発明の属する技術分野】
本発明は、弦の中間部を支持する弦楽器用駒を備えた弦楽器に関し、特にコントラバスのような大型の弦楽器に適用して好適な弦楽器用駒を備えた弦楽器に関するものである。
【０００２】
【従来の技術】
コントラバスの楽器本体に取付けられる駒は、通常メイプル等の硬質の木材によって先端に向かうにしたがって板厚が減少する板状に製作され、上面に弦を支持する４つの溝を有し、下端側が二股に分岐されて脚部を構成している。このような駒は、楽器本体に対して高さ調整可能に取付けられるものと、そうでないものとの２種類がある。すなわち、図４は楽器本体に対して高さ調整不能に取付けられる従来の駒を示すもので、１は駒、２は楽器本体、３は弦４を支持する溝、５は駒１の脚部である。一方、図５は楽器本体に対して高さ調整可能に取付けられる従来の駒を示すもので、駒１の各脚部５を支持する一対の高さ調整部材６を備えている。この高さ調整部材６は、ナット７とこのナット７に螺合するねじ棒８を有し楽器本体２上に設置される脚９と、前記ねじ棒８に螺合する調整ねじ１０とを備え、ねじ棒８の上端部が駒１の脚部５の下面に形成した穴１１に嵌挿されている。調整ねじ１０は上面で脚部５の下面を支持しており、回転されるとねじ棒８に沿って上下動し、これによって駒１の高さが調整される。駒１は持ち上げられると、ねじ棒９が穴１１から抜け出すため容易に高さ調整部材６から取り外すことができる。言い換えれば、高さ調整部材６を下にして駒１を保持すると、高さ調整部材６は駒１から脱落する。
【０００３】
【発明が解決しようとする課題】
上記したように、従来の駒のうち図４に示した駒１は高さ調整することができないという問題があった。ただし、脚部５を削って短くすると、駒１の高さを低くすることは可能であるが、高くすることはできない。これに対して、図５に示した駒１は高さ調整部材６によって高さを自由に調整することができるが、駒１、左右一対の脚９および調整ねじ１０の５部材で構成されているため、部品点数が多く、また木製の駒１に対してねじ棒８および調整ねじ１０は金属製で、外部から視認されるため、奏者に視覚的に抵抗感を与えるという問題があった。さらに、ねじ棒８の先端部を駒１の穴１１に単に差し込んでいるだけであるため、楽器１から外した状態では駒１と高さ調整部材６が容易に分解されてしまい、駒１を楽器本体２に設置するとき、取扱い難いという問題もあった。
【０００４】
本発明は上記した従来の問題を解決するためになされたもので、その目的とするところは、弦楽器用駒の部品点数が少なく取扱いが容易であり、また金属製の部品を用いても視覚的な抵抗感が少ない弦楽器を提供することにある。
【０００５】
【課題を解決するための手段】
上記目的を達成するために本発明は、弦を支持する駒の脚部に雌ねじ部を有する穴を形成し、前記駒の高さを調整する高さ調整部材を脚とこの脚に設けられたねじ棒とで構成し、前記高さ調整部材を楽器本体の表面に形成した凹部内に配置し、前記ねじ棒を前記雌ねじ部に螺合し、前記脚を回転させることにより前記駒の高さを調節するようにしたものである。
【０００７】
本発明において、ねじ棒と雌ねじ部は互いに螺合しているので、螺合が解除されない限り駒と高さ調整部材が分解してしまうようなことはない。脚を回転させると、駒はねじ棒に沿って上下動し、高さが調整される。脚は調整ねじとして機能するので、高さ調整部材の部品点数を削減する。
凹部は駒の位置を保持できる。楽器本体の上で回転することができるので、弦を緩めるだけで高さ調整が可能である。
【０００９】
【発明の実施の形態】
以下、本発明を図面に示す実施の形態に基づいて詳細に説明する。
図１は本発明に係る弦楽器を電気コントラバスに適用した一実施の形態を示す正面図、図２は同コントラバスの側面図、図３は駒の一部を破断して示す断面図である。なお、図中従来技術の欄において示した構成部材と同一のものについては、同一符号をもって示す。これらの図において、コントラバス２０は、楽器本体２と、この楽器本体２の表面一側に設けられた細長い棹２１と、弦４と、楽器本体２の下面中央に設けた伸縮自在なエンドピン２２と、棹２１の上端部、楽器本体２の中間部および下端部にそれぞれ取付けられた上駒２３、駒１およびテールピース２５等を備えている。
【００１０】
また、楽器本体２に内蔵した図示しないピックアップ装置を備え、これによって弦４の振動を検出し、電子回路（イコライザー）で音色を補正した後に、コントラバス独特の音を再現するようにしている。このとき、ヘッドホンを接続しておくと、消音演奏を楽しむことができ、またアンプを接続しておくと、スピーカをとおして演奏を聴くことができる。さらに、他の消音楽器やＣＤプレーヤー、電気楽器などと接続すれば合奏を楽しむことができる。このように、電気コントラバスの場合は音色を電気的に処理して発音させているため、楽器本体２に本来の共鳴機能をもたせる必要性がない。
【００１１】
前記弦４は、図１において左から第１〜第４弦の４本からなり、前方端が棹２１の先端部に設けたペグ２６（図２）にそれぞれ巻き付けられて係止され、このペグ２６に近い部分が上駒２３によって支持されている。一方、後方端は楽器本体２の表面後端部に配置したテールピース２５に係止され、このテールピース２５に近い後方端付近が前記駒１によって支持されている。
【００１２】
図３において、前記駒１は、従来の駒と同様に硬質の木材によって板状に形成され、上面に各弦４を係止する溝３が形成され、下端側には一対の脚部５が形成されている。このような駒１は、各脚部５が高さ調整部材３０によって支持され、楽器本体２の表面に設けた凹部３１内に高さ調整自在に取付けられている。このため、各脚部５の下面には大径穴部２８Ａと、この大径穴部２８Ａに続く小径穴部２８Ｂとからなる異径の穴２８が形成され、また小径穴部２８Ｂにはナット７が埋め込まれている。本実施の形態においては、小径穴部２８Ｂの雌ねじ部を金属製のナット７で構成した例を示しているが、これに限らず他の材料で形成したり、あるいは駒１自体の小径穴部２８Ｂに直接雌ねじを形成することも可能である。
【００１３】
前記凹部３１が形成される楽器本体２の表面部は、凸曲面に形成されているが、凹部３１の内底面は平坦面に形成され、これによって高さ調整部材３０の回転を容易にしている。
【００１４】
前記高さ調整部材３０は、木材によって大径部３２Ａと小径部３２Ｂとからなる異径の円筒体に形成された脚３２と、下端部が脚３２に埋め込まれ上端部が小径部３２Ｂの上方に突出するねじ棒８の２部材で構成されている。脚３２の大径部３２Ａは下面が平らで、前記凹部３１に回転可能に挿入されている。脚３２の小径部３２Ｂは、前記脚部５の大径穴部２８Ａに嵌挿され、ねじ棒８が前記ナット７に螺合している。したがって、外部からねじ棒８は視認されるようなことはない。この場合、金属製のねじ棒８を用いたが、弦４の張力に十分に耐え得る強度を有するものであれば、特に材質が金属である必要はない。例えば、木材によって脚３２と一体に形成されるものであってもよい。
【００１５】
このような駒１において、駒高さを調整する際には、脚３２を手で回転させると、ナット７がねじ棒８に対して上下動するため、駒１を好みの高さに調整することができる。その場合、弦４が張設されている状態では弦４を緩めて行なえばよい。また、駒１と高さ調整部材３０は、ナット７とねじ棒８との螺合によって一体的に結合されているので、弦４を取り外しても分解してしまうようなことがなく、取扱いが容易で、張弦作業を容易に行うことができる。また、脚３２が調整ねじを兼用できるため、図５に示した調整ねじ１０を必要とせず、部品点数を削減することができる。また、脚３２は駒１と同様に木製で、金属製のねじ棒８を脚３２の一部とともに異径の穴２８に挿入することにより外部から視認されないようにすると、木製部品のみによって構成されているように見え、視覚的に抵抗感を与えることがない。
【００１６】
なお、上記した実施の形態においては、電気コントラバスの駒に適用した例を示したが、本発明はこれに何等限定されるものではなく、自然楽器のコントラバスの駒にも適用することができる。
【００１７】
【発明の効果】
以上説明したように本発明に係る弦楽器は、弦を支持する駒の脚部に雌ねじ部を有する穴を形成し、前記駒の高さを調整する高さ調整部材を脚とこの脚に設けられたねじ棒とで構成し、前記高さ調整部材を楽器本体の表面に形成した凹部内に配置し、前記ねじ棒を前記雌ねじ部に螺合し、前記脚を回転させることにより前記駒の高さを調節するように構成したので、従来の駒に比べて部品点数が少なく、また駒と高さ調整部材はねじ棒と雌ねじ部との螺合を解除しない限り高さ調整部材が駒から脱落することがないので、取扱いが容易で、張弦作業を容易に行うことができる。
また、本発明に係る弦楽器は、楽器本体に形成した凹部に駒を位置決めして保持するようにしたので、弦を緩めたとき移動することがない。また、楽器本体上で高さ調整部材を回転することができるので、弦を緩めるだけで高さ調整することができる。
【図面の簡単な説明】
【図１】本発明に係る弦楽器を電気コントラバスに適用した一実施の形態を示す正面図である。
【図２】同コントラバスの側面図である。
【図３】駒の取付構造の一部を破断して示す正面図である。
【図４】従来の駒を示す正面図である。
【図５】従来の他の駒の一部を破断して示す正面図である。
【符号の説明】
１…駒、３…溝、４…弦、５…脚部、６…高さ調整部材、７…ナット、８…ねじ棒、９…脚、１０…調整ねじ、１１…穴、２０…コントラバス、２８…穴、３０…高さ調整部材、３１…凹部、３２…脚。
【図１】
0003580208.tif 000002
【図２】
0003580208.tif 000003
【図３】
0003580208.tif 000004
【図４】
0003580208.tif 000005
【図５】
0003580208.tif 000006